(57)【要約】【課題】キッチンペーパーロールを取出しやすい開口を容易に形成でき、しかも、複数個の内の一部を包装体内から取り出した後にも残るキッチンペーパーロールを衛生的に保管することができるキッチンペーパーロール包装体を提供する。【解決手段】  ガゼット包装袋内に四本のキッチンペーパーロール群が内包されたキッチンペーパーロール包装体において、把手部の下縁より下方位置から袋本体部の下方側に向かって延在する縦ミシン目線と、この縦ミシン目線の袋本体部側端からガゼット包装袋の一方縁に至るまで延在する横ミシン目線と、前記横ミシン目線間を繋ぐマチ部ミシン目線と、が連続されてなる開封用ミシン目線を設けることにより解決される。【選択図】図１
2015067328.tif 000002
【特許請求の範囲】
【請求項１】
筒状の包装用フィルムの側部を袋内側に折り込みして偏平にした状態で上部が融着され、その融着部を境にして、袋本体部と、中央部に指掛け孔用切り込み部が形成された把手部と、が形成されているガゼット包装袋内に、
各々隣接する二つキッチンペーパーロールが胴面で接しかつ端面が面一となるようにして並べられた四つのキッチンペーパーロール群が、その一方各端面が前記把手部側となるようにして内包されている、キッチンペーパーロール包装体であって、
前記把手部の幅方向中央部の下縁より下方位置から袋本体部の下方側に向かって延在する縦ミシン目線と、当該縦ミシン目線の袋本体部側端からガゼット包装袋の一方縁側に向かうように方向転換するように配された曲線をなす形状の屈曲ミシン目線と、この屈曲ミシン目線の端からガゼット包装袋の一方縁側に至るまで延在する横ミシン目線と、前記横ミシン目線間を繋ぐマチ部ミシン目線と、が連続してなる開封用ミシン目線を有することを特徴とするキッチンペーパーロール包装体。
【請求項２】
横ミシン目線の長さが、キッチンペーパーロールの半径以上、キッチンペーパーロールの直径より２０ｍｍ短い長さ範囲にあり、縦ミシン目線の長さが、キッチンペーパーロールの半径の１／２以上、キッチンペーパーロールの半径より３０ｍｍ長い長さ範囲とされている、請求項１記載のキッチンペーパーロール包装体。
【請求項３】
前記縦ミシン目線と横ミシン目線とが、キッチンペーパーロールの半径以下の曲線で連接している請求項１記載のキッチンペーパーロール包装体。
【請求項４】
屈曲ミシン目線が、円の一部を描くように配され、その円が、半径２０ｍｍからキッチンペーパーロールの半径の間とされている、請求項１〜３の何れか１項に記載のキッチンペーパーロール包装体。
【発明の詳細な説明】
【技術分野】
【０００１】
本発明は、複数個のキッチンペーパーロールを包装フィルムによりガゼット包装したキッチンペーパーロール包装体に関する。
【背景技術】
【０００２】
帯状のキッチンペーパーをロール状に巻いたキッチンペーパーロールは、概ね４〜６個程度、複数個をまとめてガゼット包装袋に内包した状態で市販されている。なかでも４個のキッチンペーパーロールを各胴面を付き合わせるようにしてまとめてガゼット包装したものが多くみられる。
【０００３】
このようなキッチンペーパーロール包装体では、キッチンペーパーロールを使用する際、使用者はそのガゼット包装袋を破って、内包された個々のキッチンペーパーロールを取り出して使用する。
【０００４】
ところで、キッチンペーパーロールは、ある程度の長さのキッチンペーパーを巻いて筒状にしたものであるため、一本を使いきるまでにある程度の期間を要する。そのため、複数個をまとめて市販されるキッチンペーパーロール包装体では、いくつかのキッチンペーパーロールを長期に渡ってガゼット包装袋を破って開封した後にも保管をしておかなければならない。
【０００５】
他方で、キッチンペーパーロールは、家庭のキッチンなど食材を取り扱う場面で使用されることが多いため衛生的であることが求められる。
【０００６】
しかしながら、従来のキッチンペーパーロール包装体は、使用者が力まかせにガゼット包装袋を引裂いて開封するようになっているなど、過度に大きな開封口が形成され、使用されていない残りのキッチンペーパーロールをその開口後のガゼット包装袋内に保管しておく際に、開封口から塵や埃、虫等が侵入するおそれがあり、保管期間中の衛生面において不安があるものであった。
【０００７】
また、従来のキッチンペーパーロール包装体の中には、開封用のミシン目線や切り込みカットなどが形成して開封性を高めたものもあるが、容易にキッチンペーパーロールを取り出せる開口が形成できるように開封でき、しかもその開口を形成した後にそれを容易に隙間無く閉じることができるものがなかった。
【先行技術文献】
【特許文献】
【０００８】
【特許文献１】特開２００３−１０４４４９号公報
【特許文献２】特許第３１５３５２８号
【特許文献３】特開２０１２−２２４３５３号公報
【特許文献４】特開２０１１−１８９９６５号公報
【発明の概要】
【発明が解決しようとする課題】
【０００９】
そこで、本発明の主たる課題は、内包されたキッチンペーパーロールを取出しやすい開口を容易に形成でき、しかも、複数個の内の一部を包装体内から取り出した後にも残るキッチンペーパーロールを衛生的に保管することができるキッチンペーパーロール包装体を提供することにある。
【課題を解決するための手段】
【００１０】
上記課題を解決した本発明は、下記のとおりである。
〔請求項１記載の発明〕
筒状の包装用フィルムの側部を袋内側に折り込みして偏平にした状態で上部が融着され、その融着部を境にして、袋本体部と、中央部に指掛け孔用切り込み部が形成された把手部と、が形成されているガゼット包装袋内に、
各々隣接する二つキッチンペーパーロールが胴面で接しかつ端面が面一となるようにして並べられた四つのキッチンペーパーロール群が、その一方各端面が前記把手部側となるようにして内包されている、キッチンペーパーロール包装体であって、
前記把手部の幅方向中央部の下縁より下方位置から袋本体部の下方側に向かって延在する縦ミシン目線と、当該縦ミシン目線の袋本体部側端からガゼット包装袋の一方縁側に向かうように方向転換するように配された曲線をなす形状の屈曲ミシン目線と、この屈曲ミシン目線の端からガゼット包装袋の一方縁側に至るまで延在する横ミシン目線と、前記横ミシン目線間を繋ぐマチ部ミシン目線と、が連続してなる開封用ミシン目線を有することを特徴とするキッチンペーパーロール包装体。
【００１１】
〔請求項２記載の発明〕
横ミシン目線の長さが、キッチンペーパーロールの半径以上、キッチンペーパーロールの直径より２０ｍｍ短い長さ範囲にあり、縦ミシン目線の長さが、キッチンペーパーロールの半径の１／２以上、キッチンペーパーロールの半径より３０ｍｍ長い長さ範囲とされている、請求項１記載のキッチンペーパーロール包装体。
【００１２】
〔請求項３記載の発明〕
前記縦ミシン目線と横ミシン目線とが、キッチンペーパーロールの半径以下の曲線で連接している請求項１記載のキッチンペーパーロール包装体。
【００１３】
〔請求項４記載の発明〕
屈曲ミシン目線が、円の一部を描くように配され、その円が、半径２０ｍｍからキッチンペーパーロールの半径の間とされている、請求項１〜３の何れか１項に記載のキッチンペーパーロール包装体。
【発明の効果】
【００１４】
以上の本発明によれば、内包されたキッチンペーパーロールを取出しやすい開口を容易に形成でき、しかも、複数個の内の一部を包装体内から取り出した後にも残るキッチンペーパーロールを衛生的に保管することができるキッチンペーパーロール包装体が提供される。
【図面の簡単な説明】
【００１５】
【図１】本発明の実施形態に係るガゼット包装袋の正面図である。
【図２】本発明の実施形態に係るガゼット包装袋の断面概略図（図１のII-II断面概略図）である。
【図３】本発明の実施形態のキッチンペーパーロール包装体の斜視図である。
【図４】本発明の実施形態のキッチンペーパーロール包装体の正面図である。
【図５】本発明の実施形態のキッチンペーパーロール包装体の側面図である。
【図６】本発明の実施形態に係るキッチンペーパーロールの斜視図である。
【図７】本発明の他の実施形態に係るガゼット包装袋の正面図である。
【発明を実施するための形態】
【００１６】
次いで、本発明のキッチンペーパーロール包装体の実施形態を図１〜７を参照しながら詳述する。
本実施形態に係るキッチンペーパーロール包装体１は、図１及び図２に示す、筒状の包装フィルムの側部２Ａ，２Ｂを袋内側に折り込みして偏平にした状態で上部が融着され、その融着部４１を境にして、袋本体部１０と、中央部に指掛け孔用切り込み部２１，２１が形成された把手部２０と、が形成されている構造のガゼット包装袋２内に、図３に示すように、４本のキッチンペーパーロール３０が内包されているものである。
【００１７】
本実施形態に係るキッチンペーパーロール包装体１では、図３〜図５に示すように、上記構成のガゼット包装袋２内に、４本のキッチンペーパーロール３０が、各々隣接する二つキッチンペーパーロールが胴面で接しかつ端面が面一となるようにして並べられ、一方の各端面が前記把手部２０に向けて内包されており、その結果、本実施形態に係るキッチンペーパーロール包装体１では、キッチンペーパーロール群３０…を包装した状態において、ガゼット包装袋２は、その偏平状態において折り込まれた側部２Ａ，２Ｂが開かれて形成されるマチ部１１Ａ，１１Ｂに連接するように各面１２，１３，１５が形成されている。なお、以後、マチ部１１Ａ，１１Ｂに連接し、把手部２０から底面に至る二つの面の一方面を正面１２、他方面を背面１３ともいう。但し、各マチ部１１Ａ，１１Ｂと正面１２及び背面１３は相対的なものであり、いずれの面を正面１２とするかは限定されるものではない。また、本実施形態における水平方向、垂直方向とはキッチンペーパーロール包装体の底面１５を水平面においた状態を基準とする。
【００１８】
本実施形態のキッチンペーパーロール包装体１における被包装物であるキッチンペーパーロール３０は、図６に示すように、紙管３１に帯状のキッチンペーパー３２を巻きつけたものであり、その大きさは、限定されないが、高さ（幅）が２２５〜２３５ｍｍ、直径３０Ｒ（巻径）が１００〜１３０ｍｍ、内径３０ｄ（芯直径）が３５〜４５ｍｍ、巻長が１１．０〜２２．３ｍのものが一般的である。本実施形態のキッチンペーパーロール包装体１は、この大きさのキッチンペーパーロール３０を包装したものである場合に、特にその効果を奏する。
【００１９】
キッチンペーパーロール３０を構成するキッチンペーパー３２は、１プライから３プライであり、本発明では特に限定されない。嵩（キッチンペーパー５枚重ね）が２．０〜５．０ｍｍ、１プライ当り米坪が１１．０〜５０．０ｇ／ｍ2の範囲のものが例示できる。また、エンボスが付与されたものであってもよい。なお、ここでの米坪は、ＪＩＳ Ｐ ８１２４（１９９８）の米坪測定方法によるものであり、嵩（キッチンペーパー５枚重ね）は、ＪＩＳ Ｐ ８１１１（１９９８）の条件下で十分に調湿した後、同条件下でダイヤルシックネスゲージ（厚み測定器）「ＰＥＡＣＯＣＫＧ３０型」（尾崎製作所製）を用いて５回測定した平均値をいう。キッチンペーパー枚数は１プライのものであれば「１枚」、複数プライの場合、ラミネート糊等でキッチンペーパー同士を貼り合わせた状態を「１枚」とする。
【００２０】
ガゼット包装袋２を構成する包装フィルムとしては、厚みが２０〜４５μｍ、融点が１５０℃以下のポリエチレン樹脂製フィルムであるのがコスト面及び後述する開封用ミシン目線５０の開封性の点で望ましい。なお、融点が低いほうが低温で融着処理できるため好ましいが、過度に融点が低い場合には、摩擦などによって包装袋に傷が付いたり、穴が空くおそれが高まるので、実質的な下限値は８０℃である。ポリエチレン樹脂製フィルムとしては、直鎖低密度ポリエチレンフィルム（ＬＬＤＰＥ）、低密度ポリエチレンフィルム（ＬＤＰＥ）、中密度ポリエチレンフィルム（ＭＤＰＥ）が挙げられる。なかでも、本発明においては、熱融着性及びコストの点で、密度０．９１０〜０．９４０ｇ／ｃｍ3で融点が１１０〜１２０℃の直鎖低密度ポリエチレンフィルム層（ＬＬＤＰＥ）が、特に適する。
【００２１】
係るガゼット包装袋２内にキッチンペーパーロール群３０…が内包された態様の上記本実施形態に係るキッチンペーパーロール包装体１は、例えば、予め筒状に形成された包装フィルムを、その両側部分を筒内側に押し込んだ状態で一方開口部を熱融着処理等により封止するとともに把手部２０を形成して一方が閉じられた三方閉じのガゼット包装袋の前駆体を形成し、次に被包装物であるキッチンペーパーロール３０を並べた状態で、その前駆体に挿入し、その後に他方開口部を熱融着処理して封止することにより製造することができる。熱融着処理は、一般的な方法にしたがって、１８０〜２３０℃で行なうことができる。後述する本実施形態に係る開封用ミシン目線５０は、把手部２０の形成と同時又は把手部２０を形成した後、キッチンペーパーロール３０…を挿入する前に形成することができる。
【００２２】
一方、本実施形態に係るガゼット包装袋２に係る前記把手部２０は、袋本体部１０との境となる融着部４１の他に、上端近傍にも幅方向に直線上の熱融着部４２が形成されており、その上下の熱融着処理部４１，４２の間に一対の指掛け孔用切り込み部２１，２１が形成されている。このように上下において熱融着部４１，４２を形成し、その間に指掛け孔２１，２１を形成することにより、把手部２０において積層された包装フィルム同士が、ずれることなく把手部２０の取り扱い性が向上されている。
【００２３】
また、本実施形態に係るキッチンペーパーロール包装体１では、把手部２０の特に指掛け孔用切り込み部２１，２１近傍に把手部２０を補強するため補強用のフィルムシート２５が積層融着されている。このように把手部２０に補強用のフィルムシート２５を設けることにより、把手部２０の厚みが増加して指掛け孔用切り込み部２１，２１により形成される指掛け孔に指をいれて持つ際の指への負担が低減される。図示の形態では、上下の熱融着部４１，４２とともに指掛け孔用切り込み部２１，２１を囲む縦方向の熱融着部４３，４３が形成されており、本実施形態に係るキッチンペーパーロール包装体１は、係る熱融着部４１，４２，４３によって把手部２０に対して補強用のフィルムシート２５を一体的に積層融着している。但し、補強用のフィルムシート２５の融着態様はこの態様に限られるものではない。係る補強用のフィルムシート２５としては、融点が１１０〜１２０℃であり５０〜７０μｍであるポリエチレンフィルム１５が望ましい。このポリエチレンフィルムであると、熱融着による融着が容易に行える。
【００２４】
他方、本実施形態のキッチンペーパーロール包装体１は、図１〜５に示されるように、そのガゼット包装袋２に特徴的に開封用ミシン目線５０が形成されている。本実施形態に係るこの開封用ミシン目線５０は、把手部２０及びマチ部１１Ａ，１１Ｂに連接する各面、つまり正面１２及び背面１３に形成された縦ミシン目線５０ａと屈曲ミシン目線５０ｄと横ミシン目線５０ｂと、一方のマチ部１１Ａに形成されたマチ部ミシン目線５０ｃが連接してなる。
【００２５】
縦ミシン目線５０ａは、把手部２０の下縁２０Ｂより幅方向中央部の下方位置から袋本体部１０の底面側に向かって正面視で実質的に垂直方向に直線的に延在するように配されている。なお、幅方向中央部とは少なくとも幅方向中央から左右に５ｍｍの幅の範囲である。基端となる把手部側端５０Ｓと把手部２０の下縁２０Ｂとの間の離間距離Ｌ１は、２０ｍｍ〜６０程度とするのがよい。なお、ここでの実質的にとは、ガゼット包装袋２を構成する包装用フィルムの素材に起因する歪み、伸びやミシン目線形成時の製造上の誤差などを許容する意味であり、正面視で概ね垂直方向に対して±１０°程度の範囲を意味する。また、幅方向中央部とはこのように縦ミシン目線５０ａが底面側に直線的かつ正面視で垂直に延在し、その基端５０Ｓと把手部下縁２０Ｂとの間の距離Ｌ１が上記範囲であると、特に、把手部２０をもって持ち運ぶ際に意図せず縦ミシン目線５０ａが裂開し難くなる。
【００２６】
また、縦ミシン目線５０ａを配する位置としては、把手部２０の幅方向の中央部が好ましい。より、具体的には、図１のようにガゼット包装袋を折り込みして偏平にした状態において、その両折畳み側部２Ａ，２Ｂの縁２ａ，２ｂの間にあるようにするのが望ましい。この位置であると、マチ部１１Ａ，１１Ｂとなる側部２Ａ，２Ｂにミシン目線を形成することなく、ガゼット包装袋２を偏平にした状態で一方面からミシン目線形成刃などで縦ミシン目線５０ａを容易に形成することが可能となる。
【００２７】
一方、横ミシン目線５０ｂは、縦ミシン目線５０ａの袋本体部側端５０Ｅよりやや下方位置においてガゼット包装袋２の一方縁、すなわち一方マチ部１１Ａに至るまで延在するようにほぼ実質的に水平方向に沿って配されている。なお、ここでのほぼ実質的にとは、縦ミシン目線５０ａで述べたのと同様に、ガゼット包装袋を構成する包装用フィルムの歪み、伸びやミシン目線形成時の製造上の誤差などを許容する意味であり、概ね水平方向に対して±１０°程度の範囲を意味する。横ミシン目線５０ｂが実施的に水平方向に延在するように配されていることにより、把手部２０をもって持ち運ぶ際に意図せず横ミシン目線５０ｂが裂開することが防止される。特にマチ部ミシン目線５０ｃとの境界部位からの意図しない裂開が好適に防止される。
【００２８】
他方、屈曲ミシン目線５０ｄは、縦ミシン目線５０ａの袋本体部側端５０Ｅからガゼット包装袋２の一方縁、すなわち一方マチ部１１Ａに向かうように方向転換して横ミシン目線５０ｂの端に連続するように配されている。換言すれば、縦ミシン目線５０ａと横ミシン目線５０ｂとを繋ぐように配されている。屈曲ミシン目線５０ｄは、縦ミシン目線５０ａから横ミシン目線５０ｂ或いは横ミシン目線５０ｂから縦ミシン目線５０ａへの裂開がスムーズとなるように、曲線をなす形状に配されている。特に、図示例のように円の一部を描くように、すなわち縦ミシン目線５０ａと横ミシン目線５０ｂとの間においてフィレット曲線となるように配されているのが望ましい。
【００２９】
他方、マチ部ミシン目線５０ｃは、正面１２及び背面１３の各面に形成された横ミシン目線５０ｂの端同士を連結するように配される。マチ部ミシン目線５０ｃの延在方向は、各面の横ミシン目線５０ｂの端位置に依存するが、横ミシン目線５０ｂと同様の理由から、実質的に水平方向に沿って延在するように配されているのが望ましい。換言すれば正面１２及び背面１３の各面における横ミシン目線５０ｂの一方のマチ部側１１Ａの高さ位置が同じ高さ位置にあるのが望ましい。
【００３０】
ここで、縦ミシン目線５０ａの袋本体部側端５０Ｓの位置、換言すれば横ミシン目線５０ｂの位置については、図１〜５で示されるように、キッチペーパーロール群３０…の上側端面に位置する部位Ｘよりも下方位置にあってもよいし、図７に示すように前記部位Ｘと前記把手部２０の下縁２０Ｂとの間にあってもよい。前記部位Ｘと同位置にあってもよい。但し、屈曲ミシン目線５０ｄの形状が、円の一部を描く場合であって、特に、その円の半径が３０ｍｍ以下であるような場合には、その屈曲ミシン目線５０ｄが、キッチンペーパーロール群３０…の上側端面に位置する部位Ｘにあると、把手部を持ってキッチンペーパーロール包装体２を持った際に、屈曲ミシン目線５０ｄを起点として開封用ミシン目線５０が裂開するおそれがやや高まるので、このような場合には、屈曲ミシン目線５０ｄが、キッチンペーパーロール群３０…の上側端面に位置する部位Ｘ係らないようにするのが望ましい。
【００３１】
ここで、開封用ミシン目線５０の長さについては、縦ミシン目線５０ａの長さＬ２は、キッチンペーパーロール３０の半径３０ｒの１／２以上、キッチンペーパーロール３０の半径３０ｒより３０ｍｍ長い長さ以下、の範囲とするのが望ましい。また、横ミシン目線の長さＬ３は、キッチンペーパーロール３０の半径３０ｒ以上、キッチンペーパーロール３０の直径３０Ｒより２０ｍｍ短い長さ以下、の範囲とするのが望ましい。また、屈曲ミシン目線５０ｄは、円の一部を描くように配され、その円の半径が２０ｍｍからキッチンペーパーロール３０の半径３０ｒの間とされているようにするのが望ましい。
【００３２】
上述の各ミシン目線の位置関係においてこのような各ミシン目線５０ａ，５０ｂ，５０ｄの長さとすると、ガゼット包装袋２の構造上、開封用ミシン目線５０の特にマチ部ミシン目線５０ｃ、横ミシン目線５０ｂ及び屈曲ミシン目線５０ｄの裂開により、袋本体部１０の上部の特に一方のマチ部１１Ａ側に、隣接するキッチンペーパーロール二本分の端面とほぼ同程度の大きさの開口が形成される。そして、これらマチ部ミシン目線５０ｃ、横ミシン目線５０ｂ及び屈曲ミシン目線５０ｄに続く縦ミシン目線５０ａの裂開により、前記キッチンペーパーロール二本分の端面とほぼ同程度の大きさの開口が縦ミシン目線５０ｂにより開かれる部分だけ拡張される。それとともに、各ミシン目線により分断される袋本体部１０の上部１１ｙが、各面の縦ミシン目線５０ｂの把手部側基端５０Ｓを軸としてヒンジ蓋のようになる。特にガゼット包装袋２の構造上、正面１２及び背面１３の各把手部側基端５０Ｓが近接していることから、容易に開口の把手部側上方部分１１ｙが大きく開放できるようになる。縦ミシン目線５０ａを配せずに単に横ミシン目線５０ｂの長さを長くしても、開口を大きくすることはできるが、開口の上方の開放がし難くキッチンペーパーロール３０の取出し性があまり向上しない。本実施形態に係るキッチンペーパーロール包装体１では、縦ミシン目線５０ａによる開口の拡張と開口上方の開放のし易さにより、開封後に特に最初の一本のキッチンペーパーロールを取り出す際に、残るキッチンペーパーロールや包装袋に形成された開口近傍に引っかかることが格段に解消され、キッチンペーパーロールの取出し性が極めて向上するのである。
【００３３】
また、単に横ミシン目線５０ｂを長くしてしまうと、平面視（把手部側から底面側に向う視点）で大きな開口面が形成されるためその開口が閉じづらいものとなる。本実施形態では平面視ではキッチンペーパーロール二本分の端面とほぼ同程度の大きさの開口面となるためその開口を再封止しやすい。特に、開封用ミシン目線５０で分断された把手部側部分をガゼット包装袋内に残るキッチンペーパーロールの上側端面に被せるようにして容易に開口を封止できる。
【００３４】
さらに、本実施形態に係るキッチンペーパーロール包装体１では、曲線上の屈曲ミシン目線を配することで、横ミシン目線から縦ミシン目線への連続的な開封が容易となるとともに、その屈曲ミシン目線が上述の長さや位置関係であることにより、開封用ミシン目線の裂開によって形成される開口が、キッチンペーパーロールの取出しを妨げないようになる。  
【００３５】
このように本実施形態に係るキッチンペーパーロール包装体１では、開封用ミシン目線５０を裂開することにより、一方のマチ部側１１Ａの袋本体部１０の上部に、隣接する二本のキッチンペーパーロールの上側端面部分の大きさよりやや大きい開口が形成され、しかも開口上方を大きく開放状態にし易く、包装体内部のキッチンペーパーロール３０を極めて容易に取り出せるようになる。そのうえ、開口部分の封止も容易に行なえて、未使用状態で包装袋内に残るキッチンペーパーロールの衛生性を十分に確保できるのである。
【００３６】
また、本実施形態における開封用ミシン目線５０のカット部及びタイ部の長さ及びその比は、（カット部：タイ部）＝１ｍｍ：１ｍｍ〜６ｍｍ：６ｍｍの範囲とするのが望ましい。この範囲であれば、開封用ミシン目線５０を容易に裂開することができるとともに、意図しない裂開を防止できる。
【００３７】
以上のとおり、本実施形態に係るキッチンペーパーロール包装体１では、開封用ミシン目線５０の裂開によって、内包されたキッチンペーパーロール３０を取り出しやすい開口を容易に形成でき、しかも、係るキッチンペーパーロールを取り出したのちに開封用ミシン目線５０の裂開によって分断される把手部側部分を残部のキッチンペーパーロールの上側端面に被せるようにして、その開口を簡易かつ隙間無く封止することができる。
【符号の説明】
【００３８】
１…キッチンペーパーロール包装体、２…ガゼット包装装、２Ａ…ガゼット包装袋の一方側部、２Ｂ…ガゼット包装袋の他方側部、１０…袋本体部、１１Ａ…一方のマチ部、１１Ｂ…他方のマチ部、１２…正面、１３…背面、１５…底面、２１…指掛け孔用切り込み部、２０…把手部、２０Ｂ…把手部下縁、３０…キッチンペーパーロール、３１…紙管、３２…キッチンペーパー、４１…把手部と袋本体部との境の熱融着分、４２…把手部上端近傍の熱融着部、４３…縦方向の熱融着部、２５…把手部補強用のフィルムシート、５０…開封用ミシン目線、５０ａ…縦ミシン目線、５０ｂ…横ミシン目線、５０ｃ…マチ部ミシン目線、５０ｄ…屈曲ミシン目線、Ｘ…キッチペーパーロール群の上側端面に位置する部位、１１ｙ…把手部側上方部分、５０Ｓ…縦ミシン目線の基端、５０Ｅ…縦ミシン目線の終端、Ｌ１…縦ミシン目線と把手部下縁との間の離間距離、Ｌ２…縦ミシン目線の長さ、Ｌ３…横ミシン目線の長さ、２ａ，２ｂ…ガゼット包装袋の折り込み縁、３０Ｒ…キッチンペーパーロールの直径、３０ｒ…キッチンペーパーロールの半径、３０ｄ…キッチンペーパーロールの内径（芯直径）。
【図１】
2015067328.tif 000003
【図２】
2015067328.tif 000004
【図３】
2015067328.tif 000005
【図４】
2015067328.tif 000006
【図５】
2015067328.tif 000007
【図６】
2015067328.tif 000008
【図７】
2015067328.tif 000009